(57)【特許請求の範囲】
【請求項１】
底面板と該底面板の前後両端に設けられた前面板と背面板と、前記底面板の左右に設けられた側面板とからなる箱本体部分と、前記背面板の前記底面板の反対側に設けられた蓋天面板と、該蓋天面板に連設された蓋前面板と、前記蓋天面板の左右に設けられた蓋側面板からなる蓋部分からなり、前記側面板が前記背面板と接する辺と前記底面板と接する辺が鈍角となる平行四辺形である、平行六面体形状の包装箱であって、前記側面板の前記底面板と反対側に側面折返板が設けられ、折返して前記側面板とで二重壁になっており、該二重壁の間に前記前面板の左右に設けられたスライド片がスライド可能に挿入され、前記箱本体部分から蓋部分が開けられたときに、前記前面板の上端が、前方に移動可能であり、
前記前面板の上端を、前方に移動させたときに、前記スライド片が前記側面板と前記側面折返板との二重壁の折返し部分に当たって、前記前面板の上端の移動を規制し、
かつ、前記前面板の上端の移動が規制されたとき、前記前面板の上端から前記背面板と前記蓋天面板の間の接続部分までの距離が、前記背面板と前記蓋天面板の間の接続部分から前記蓋前面板の先端までの距離より短いことを特徴とする包装箱。
【発明の詳細な説明】
【技術分野】
【０００１】
本発明は、包装箱に関するものである。
【背景技術】
【０００２】
従来から、菓子食品類や医薬品や化粧品、玩具類、日用品などを包装するのに、直方体の包装箱が一般的に使用されている。またこれらの包装箱には、背面板の上端に蓋を連設して、背面板の上端をヒンジとして蓋を後方に倒し、広く開口する包装箱がある。
【０００３】
例えば、図６のブランクを用いて製函した図７の斜視図に示される包装箱のように、前面板２の上縁に一部切込破線を中央部に有する折線ａを介して梯形フラップ２１を設けて、梯形フラップ２１に反撥力をもたせるとともに、背面板３の上縁に設けた両側に三角側板２２、２２を有する蓋天面板５の上縁に蓋前面板６が連設され、かつ上記三角側板２２、２２上縁にそれぞれ蓋前面板６の裏面に貼着されるフラップ２３、２３を設け、フラップ２３、２３を貼着することによって梯形フラップ２１が丁度嵌り込むような形状の梯形凹所２４を形成させた包装箱がある（特許文献１）。
【０００４】
公知文献を以下に示す。
【先行技術文献】
【特許文献】
【０００５】
【特許文献１】実開昭６０−４７２１３号公報
【発明の概要】
【発明が解決しようとする課題】
【０００６】
従来の直方体の包装箱では店舗などの棚に陳列されたときに、下方の段に置かれた場合、買物客から見えにくく、売り上げが上がりにくいという問題があった。
【０００７】
本発明は、店舗などの棚の下段に陳列されても、包装箱の前面板の表示が買物客から見えやすく、かつ、収納物の充填や、取り出しが容易な包装箱を提供することを課題とする。
【課題を解決するための手段】
【０００８】
本発明は係る課題に鑑みなされたものであり、請求項１の発明は、底面板と該底面板の前後両端に設けられた前面板と背面板と、前記底面板の左右に設けられた側面板とからなる箱本体部分と、前記背面板の前記底面板の反対側に設けられた蓋天面板と、該蓋天面板に連設された蓋前面板と、前記蓋天面板の左右に設けられた蓋側面板からなる蓋部分からなり、前記側面板が前記背面板と接する辺と前記底面板と接する辺が鈍角となる平行四辺形である、平行六面体形状の包装箱であって、前記側面板の前記底面板と反対側に側面折返板が設けられ、折返して前記側面板とで二重壁になっており、該二重壁の間に前記前面板の左右に設けられたスライド片がスライド可能に挿入され、前記箱本体部分から蓋部分が開けられたときに、前記前面板の上端が、前方に移動可能であり、
前記前面板の上端を、前方に移動させたときに、前記スライド片が前記側面板と前記側面折返板との二重壁の折返し部分に当たって、前記前面板の上端の移動を規制し、
かつ、前記前面板の上端の移動が規制されたとき、前記前面板の上端から前記背面板と
前記蓋天面板の間の接続部分までの距離が、前記背面板と前記蓋天面板の間の接続部分から前記蓋前面板の先端までの距離より短いことを特徴とする包装箱である。
【０００９】
本発明の包装箱は、以上のような構成であって、側面板が背面板と接する辺と底面板と接する辺が鈍角となる平行四辺形である、平行六面体形状の包装箱であるので、店舗などの棚の下段に置かれても、包装箱の前面板が買物客から見えやすい。また、このような平行六面体形状であっても、箱本体部分から蓋部分が開けられたときに、前面板の上端が、
前方に移動可能で大きく開けることができるので、収納物の充填や取出しが容易にできる。
【００１１】
本発明は、更に、前面板の上端を、前方に移動させたときに、スライド片が側面板と側面折返板との二重壁の折返し部分に当たって、前面板の上端の移動を規制するので、スライド片が側面板と側面折返板との二重壁の間から外れることがなく、蓋をするのに手間取ることがない。
【００１３】
本発明は、また更に、前面板の上端の移動が規制されたとき、前面板の上端から背面板と蓋天面板の間の接続部分までの距離が、背面板と蓋天面板の間の接続部分から蓋前面板の先端までの距離より短いので、前面板が前に傾いた状態で蓋を閉めるときに、蓋天面板が前面板の上端を押して、前面板の傾きを元に戻すことができる。これによって、前面板の傾きを元に戻してから蓋部分を箱本体部分に被せる必要がなく、ひとつの動作で蓋をすることができる。
【発明の効果】
【００１４】
本発明の包装箱は、店舗などの棚の下段に陳列されても、包装箱の前面板の表示が買物客から見えやすく、かつ、収納物の充填や、取り出しが容易である。
【図面の簡単な説明】
【００１５】
【図１】本発明の包装箱の一例のブランクを模式的に平面で示した説明図である。
【図２】本発明の包装箱の一例を模式的に示した説明図である。（Ａ）平面図である。（Ｂ）正面図である。（Ｃ）右側面図である。
【図３】本発明の包装箱の一例で、蓋部分を開いた状態を示した説明図である。（Ａ）正面図である。（Ｂ）右側面図である。
【図４】本発明の包装箱の一例で、蓋部分を開き、前面板を前に傾けた状態を示した説明図である。（Ａ）正面図である。（Ｂ）右側面図である。
【図５】本発明の包装箱の一例で、前面板を前に傾けた状態で蓋部分を閉じるときの状態を右側面より見た説明図である。
【図６】従来の包装箱の一例のブランクを模式的に平面で示した説明図である。
【図７】従来の包装箱の一例を模式的に斜視で示した説明図である。
【発明を実施するための形態】
【００１６】
以下本発明を実施するための形態につき説明する。
図１は、本発明の包装箱の一例のブランクを模式的に平面で示した説明図である。
図２は、本発明の包装箱の一例を模式的に示した説明図である。（Ａ）は、平面図である。（Ｂ）は、正面図である。（Ｃ）は、右側面図である。
【００１７】
本例の図２の包装箱は、図１のブランクを一点破線や二点破線で示した、山折や谷折の折罫を折って、必要部分をグルーなどで貼着して製函する。この図１のブランクの説明図は、用紙の表面側すなわち箱の主に外側となる面から見た図である。
【００１８】
本例の包装箱は、底面板１と、底面板１の前後両端に折罫を介して連設された前面板２と、背面板３と、底面板１の左右に折罫を介して設けられた側面板４、４などとからなる箱本体部分１００と、背面板３の底面板１の反対側に折罫を介して連設された蓋天面板５と、蓋天面板５に折罫を介して連設された蓋前面板６と、蓋天面板５の左右に折罫を介して設けられた蓋側面板７，７などとからなる蓋部分２００からなる。
【００１９】
そして、側面板４が背面板３と接する辺と底面板１と接する辺が鈍角となる平行四辺形になっている、平行六面体形状の包装箱である。このような形状であるので、前面板２が背面板３側に傾斜し、店舗などの棚の下段に包装箱が置かれていても、買物客から包装箱の前面板２が見えやすい。
【００２０】
側面板４、４の底面板１と反対側に側面折返板８，８が折罫を介して設けられ、折返して側面板４と重なり二重壁になるようになっている。そして、側面折返板８，８の反対側の端部には、底面板１に貼着させる底面貼着板９、９が折罫を介して設けられている。また、側面板４、４の図１での上方には背面板３と貼着する為の背面貼着板１０、１０が折罫を介して設けられている。
【００２１】
前面板２の左右には、スライド片１１、１１が折罫を介して設けられ、製函したときに、スライド片１１、１１は、それぞれ側面板４と側面折返板８からなる二重壁の間にスライド可能に挿入され、箱本体部分１００から蓋部分２００が開けられたときに、前面板２の上端が、前方に移動可能になっている。
【００２２】
これにより、背面板３側に傾いていた前面板２が起こされて箱本体部分１００の開口部が大きく開き、収納物の充填や取出しが容易に行えるようになる。
【００２３】
蓋前面板６には、破線や点線状、あるいは、直線状を組み合わせた切断線などによる切断可能線により切取可能な封緘片１２が設けられていて、製函したときに、封緘片１２の内面を前面板２の外面に貼着して、未開封であることを表すとともに、初回は簡単に開かないようになっている。
【００２４】
そして、包装箱を開封するときは、切断可能線を切断して、封緘片１２を蓋前面板６本体より切り離し、蓋前面板６本体部分が前面板２より離れるようにすれば、蓋部分２００を箱本体部分１００より開けられるようになる。このとき、前面板２の外面に貼着されている封緘片１２はそのまま前面板２に残る。
【００２５】
また、蓋側面板７，７の図１での上方には折罫を介して蓋前面貼着片１３、１３が設けられ、製函したときに、蓋前面貼着片１３の外面を蓋前面板６の内面に貼着するようになっている。
【００２６】
一方、前面板２の図１での下方には折罫を介して折返片１４、１４が設けられていて、包装箱を開封後、蓋部分２００を閉めた時に、蓋前面板６に貼着された蓋前面貼着板１３、１３に折返片１４、１４が引っ掛かって、蓋部分２００を箱本体部分１００に被せた状態で保持できるようになっている。
【００２７】
この包装箱を製函するには、まず、図１のブランクの前面板２とスライド片１１、１１を間の折罫で折る。そして、前面板２と底面板１の間の折罫を折り、底面板１と側面板４、４の間の折罫を折る。前面板２と折返片１４の間の折罫は反対方向に折る。
【００２８】
次に、底面板１と背面板３の間の折罫を折り、側面板４、４と背面貼着片１０、１０の
間の折罫を折り、背面貼着片１０、１０の外面を背面板３の内面に貼着する。そして、側面板４、４と側面折返板８、８の間を折って、スライド片１１、１１を側面板４、４と側面折返板８、８の間に挟むようにして、底面貼着片９、９を底面板１に貼着する。これによって箱本体部分１００が出来上がる。
【００２９】
蓋部分２００は、蓋天面板５と蓋側面板７，７の間の折罫を折り、蓋側面板７，７と蓋前面貼着片１３、１３の間の折罫を折る。蓋天面板５と蓋前面板６の間の折罫を折り、蓋前面板６の内面に蓋前面貼着片１３、１３の外面を貼着する。
【００３０】
次に、背面板３と蓋天面板５の間の折罫を折って、蓋部分２００を箱本体部分１００に被せ、封緘片１２の内面を前面板２の外面に貼着する。このようにして本例の包装箱は、図２のように製函される。
【００３１】
図３は、本発明の包装箱の一例で、蓋部分を開いた状態を示した説明図である。（Ａ）は、正面図である。（Ｂ）は、右側面図である。
図４は、本発明の包装箱の一例で、蓋部分を開き、前面板を前に傾けた状態を示した説明図である。（Ａ）は、正面図である。（Ｂ）は、右側面図である。
図５は、本発明の包装箱の一例で、前面板を前に傾けた状態で蓋部分を閉じるときの状態を右側面より見た説明図である。
【００３２】
この包装箱を開けて収納物を取り出すには、蓋前面板６に設けられた切断可能線を切り、封緘片１２を前面板２に貼着されたまま残して蓋前面板６を持ち上げ、蓋部分２００を箱本体部分１００から背面板３と蓋天面板５の間の折罫をヒンジとして、図３のように開封する。
【００３３】
背面板３側に傾いている前面板２を起こすと、開口部が広くなり、図４のようになる。このとき、側面板４、４と側面折返板８、８の間に挿入されたスライド片１１、１１がスライドして、背面板３側へ傾いていた前面板２が起きる。
【００３４】
スライド片１１、１１は、底面板１と前面板２の間の折罫と前面板２とスライド片１１、１１の間の折罫の交点を中心とする円の円弧部分と、円弧の円の半径より距離の長い、円弧より突き出した突き出し部分からなっている。
【００３５】
円弧部分は、側面板４、４と側面折返板８、８の間から外側にスライドして出るが、突き出し部分は、側面板４、４と側面折返板８，８との二重壁の折返し部分に当たってしまい、側面板４、４と側面折返板８，８の間から外側にスライドして出ることがなく、二重壁の間から外れることがない。これによって、前面板２の上端の移動が規制される。
【００３６】
また、前面板２の上端の移動が規制されたとき、前面板２の上端から背面板３と蓋天面板５の間の接続部分（折罫）までの直線距離Ｙが、背面板３と蓋天面板５の間の接続部分（折罫）から蓋前面板６の先端までの直線距離Ｘより短くなっている。
【００３７】
これによって、前面板２が前に傾いた状態で蓋を閉めるときに、図５のように、蓋前面板６が前面板２の上端を押して、前面板２の傾きを元に戻すことができ、蓋部分２００を箱本体部分１００に被せることができる。そのため、前面板２の傾きを元に戻してから蓋部分２００を箱本体部分１００に被せる必要がなく、ひとつの動作で蓋をすることができる。
【符号の説明】
【００３８】
１００・・・箱本体部分
２００・・・蓋部分
１・・・底面板
２・・・前面板
３・・・背面板
４・・・側面板
５・・・蓋天面板
６・・・蓋前面板
７・・・蓋側面板
８・・・側面折返板
９・・・底面貼着板
１０・・・背面貼着板
１１・・・スライド片
１２・・・封緘片
１３・・・蓋前面貼着片
１４・・・折返片
【図１】
0005768511.tif 000002
【図２】
0005768511.tif 000003
【図３】
0005768511.tif 000004
【図４】
0005768511.tif 000005
【図５】
0005768511.tif 000006
【図６】
0005768511.tif 000007
【図７】
0005768511.tif 000008